(57)【特許請求の範囲】
【請求項１】
射撃装置（５）と、前記射撃装置から放出される投射物（４）とを備え、前記射撃装置（５）は、射撃装置本体（７）と、前記投射物（４）を挟むことで前記投射物（４）を前記射撃装置本体（７）において装填位置で保持するように構成された少なくとも１つの挟持要素（８）と、前記投射物（４）がその装填位置を前記射撃装置本体（７）において占め得る受動位置と作動位置との間で移動可能に前記射撃装置本体（７）に搭載された引き金要素（６）とを含み、前記引き金要素（６）は、その受動位置からその作動位置へと移動されるとき、前記投射物（４）をその装填位置から離れる方に押すように構成された押し部（１０）を有し、前記引き金要素（６）が、操作者によって作動されるように構成された指接触部（１１）を有し、前記投射物（４）が円筒面（１２）を有する、射撃玩具（１）であって、
前記射撃装置（５）は、前記投射物（４）の前記円筒面（１２）の中心軸線（１６）に沿って前記投射物（４）を放出するように構成され、前記少なくとも１つの挟持要素（８）は、前記少なくとも１つの挟持要素（８）の少なくとも１つの挟持面（１７）と前記投射物（４）の前記円筒面（１２）との間で作用する摩擦力によって、前記射撃装置本体（７）における前記投射物（４）の装填位置での前記投射物（４）の前記方向への放出を防止するように構成され、前記少なくとも１つの挟持面（１７）が、前記投射物の放出の間、前記投射物（４）の前記円筒面（１２）の前記中心軸線（１６）に沿う前記投射物（４）の放出方向において、前記投射物（４）の前記円筒面（１２）を案内するように構成され、
前記少なくとも１つの挟持要素（８）を形成している前記管状の要素、少なくとも部分的に管状の要素、または、実質的に管状の要素は、少なくともその長さの一部に沿って、前記要素の壁（２１）における少なくとも１つの切欠き（２３）によって、複数の部分（２２）へと分割されることを特徴とする、射撃玩具。
【請求項２】
前記少なくとも１つの挟持要素（８）は、前記少なくとも１つの挟持面（１７）によって、前記投射物（４）の前記円筒面（１２）と協働するように構成された管状の要素、少なくとも部分的に管状の要素、または、実質的に管状の要素の形態を有する、請求項１に記載の射撃玩具。
【請求項３】
前記少なくとも１つの挟持面（１７）は、前記管状の要素、少なくとも部分的に管状の要素、または、実質的に管状の要素の少なくとも部分的に円筒形の面（２０）において、隆起した面の形態を有する、請求項１又は２に記載の射撃玩具。
【請求項４】
前記射撃装置本体（７）は、前記少なくとも１つの挟持要素（８）を形成する第１の部分（２４）と、前記引き金要素（６）を収容する第２の部分（２５）とを有する管状の要素、少なくとも部分的に管状の要素、または、実質的に管状の要素によって少なくとも部分的に形成される、請求項１乃至３のいずれか１項に記載の射撃玩具。
【請求項５】
前記引き金要素（６）は、前記押し部（１０）が前記少なくとも部分的に管状の要素、または、実質的に管状の要素の内部に配置されるように、および、前記指接触部（１１）が前記要素の外部に配置されるように、前記射撃装置本体（７）の壁（２７）においてスロット（２６）に回動可能に搭載される、請求項４に記載の射撃玩具。
【請求項６】
前記引き金要素（６）は、前記押し部（１０）および前記指接触部（１１）を通って延びる線（２８）が、前記射撃装置本体（７）の前記管状の要素、少なくとも部分的に管状の要素、または、実質的に管状の要素の中心軸線（２９）と鋭角を形成するように前記射撃装置本体（７）に配置される、請求項５に記載の射撃玩具。
【請求項７】
前記引き金要素（６）はＶ字型部を有し、Ｖ字型の各々の脚部がその端部において別々の押し部（１０）を形成し、前記引き金要素（６）全体が、Ｖ字型の対称軸線の周りで対称的または実質的に対称的である、請求項１乃至６のいずれか１項に記載の射撃玩具。
【請求項８】
前記投射物（４）は、その上面において連結スタッド（１４）と、その下側において前記連結スタッド（１４）に対して相補的である連結スカート（１５）とを備える回転対称ユニットの形態で、円形スタッド連結部（１３）の形態を有し、前記少なくとも１つの挟持要素（８）は、前記投射物（４）の前記連結スタッド（１４）と相互作用するように構成され、前記射撃装置本体（７）には、前記円形スタッド連結部（１３）の前記連結スタッド（１４）に対応し、前記円形スタッド連結部（１３）の前記連結スカート（１５）と相互連結するように構成される連結スタッド（３１）が、前記少なくとも１つの挟持要素（８）に対向して設けられる、請求項１乃至７のいずれか１項に記載の射撃玩具。
【発明の詳細な説明】
【技術分野】
【０００１】
本発明は、射撃装置と、射撃装置から放出される投射物とを備える射撃玩具であって、射撃装置が、射撃装置本体と、投射物を挟むことで投射物を射撃装置本体において装填位置で保持するように構成された少なくとも１つの挟持要素と、投射物がその装填位置を射撃装置本体において占め得る受動位置と作動位置との間で移動可能に射撃装置本体に搭載された引き金要素とを備え、引き金要素が、その受動位置からその作動位置へと移動されるとき、投射物をその装填位置から離れる方に押すように構成された押し部を有し、引き金要素が、操作者によって作動されるように構成された指接触部を有し、投射物が円筒面を有し、射撃装置は、投射物の円筒面の中心軸線に沿って投射物を放出するように構成され、少なくとも１つの挟持要素は、少なくとも１つの挟持要素の少なくとも１つの挟持面と投射物の円筒面との間で作用する摩擦力によって、射撃装置本体における投射物の装填位置での投射物の前記方向への放出を防止するように構成され、前記少なくとも１つの挟持面は、投射物の放出の間、投射物の円筒面の中心軸線に沿う投射物の放出方向において、投射物の円筒面を案内するように構成される、射撃玩具に関する。
【背景技術】
【０００２】
米国特許第４，２７７，０６８号は、ピストルと、前記ピストルから発射される飛行円盤とから成る飛行円盤玩具を開示している。ピストルは、飛行円盤がその装填位置において間に保持される一対の弾性挟持板を備えており、一方の挟持板は、第１の比較的大きい摩擦の角を有しており、他方の挟持板は、第２の滑りやすいまたは比較的小さい摩擦の角を有している。円盤の装填位置では、円盤は、前記第１の角および前記第２の角が円盤の直径より若干小さく互いから離間されるため、前記第１の角と前記第２の角との間で機械的に掴まれ、それによって、円盤の周辺の周りで保持する。円盤が発射されるとき、押し出す力が挟持板によって円盤へと与えられ、第１の比較的大きい摩擦の角と第２の滑りやすいまたは比較的小さい摩擦の角との間でトルクへと変換され、それによって円盤を回転する。飛行円盤は、揚力を効果的に受けるように構成された内側に凹んだ底を有している。しかしながら、回転動作を飛行円盤に加えるように構成されたその構造のため、この玩具は、平らな円盤に形成された要素を放出するのに特に適しており、例えば、ボールまたは短いスタッドに形成された要素など、別の形を有する投射物には適していない。さらに、この玩具は、引き金を操作するときに装置を保持するために適切な大きさとされた把持部が必要であるため、比較的小さい規模の様式では操作するのが難しいと思われる。
【０００３】
特開平１０−２１６３７０号は、ピストルと、前記ピストルから発射される飛行円盤とから成る同様の飛行円盤玩具を開示している。円盤の装填位置において、円盤は、円盤の周辺に接する２つの相対する半円形のアームの間で機械的に掴まれ、それによって円盤を所定位置に機械的に固定する。この玩具も、平らな円盤に形成された要素を放出するのに特に適しており、例えば、ボールまたは短いスタッドに形成された要素など、別の形を有する投射物には適していない。この玩具も、引き金を操作するときに装置を保持するために適切な大きさとされた把持部が必要であるため、比較的小さい規模の様式では操作するのが難しいと思われる。
【０００４】
米国特許第６，４６０，５２７号は、投射物と発射装置との組み合わせを開示しており、発射装置は、収束的に先細りとされた内側端を有する管状の通路で形成されている。投射物要素には、その後端において、環状の通路の収束的に先細りとされた部分に受け入れられてその部分によって径方向内向きに変位されるように配置された複数の後方に延在する片持ち梁搭載弾性板バネ要素が、設けられている。投射物が発射装置に装填されるとき、板バネ要素が投射物を前方へと放出しようとする。保持機構が、投射物が放出される準備ができるまで投射物を保持するために、設けられている。案内シャフトが、板バネ要素の自由端を越えてかなり後方に延在し、発射装置の浅い環状の溝に受け入れられるように構成された丸められた環状の拡大部が設けられている。したがって、投射物を装填する操作の最後の部分の間、投射物要素を所定位置に押すために、余分な力を投射物要素に加えなければならない。投射物が保持から解放されるとき、収束した壁における板バネ要素の外向きの圧力が、投射物を発射装置の通路から強制的に放出する。しかしながら、この玩具は、投射物に前記の前もっての負荷を加えた弾性板バネ要素を設けなければならないため、比較的長い投射物だけに適している。さらに、これらの板バネ要素は時間と共にその弾力性を失うことになり、その結果、投射物が、例えば１年間以上といった間、発射装置に装填されていた場合、板バネ要素はもはや適切に作動しなくなってしまう。これは、これらの玩具製品がしばしば何年もの間保管され、そして年下の子供に対して再び使われるため、質の良い玩具製品として実際に満足できるものではない。
【０００５】
上記の先行技術の射撃玩具は、円盤の形またはミサイルの形のいずれかの投射物に特に適している。例えば、これらの先行技術の射撃玩具は、ＬＥＧＯ（登録商標）の名で入手可能な様々なプラスチック玩具構造要素のうちの１つである特定の良く知られている比較的小さい円形の連結デバイスを放出するのには適していない。この円形の連結デバイスは、この記載において、１×１円形スタッド連結部と表され、回転対称ユニットの形態で提供され、その上面において連結スタッドと、その下側において連結スタッドに対して相補的である連結スカートとを備えており、そのため、これらの連結デバイスのうちの２つが相互に連結され得るか、または、連結デバイスは、ＬＥＧＯの名で入手可能な前述のいくつかの他の様々なプラスチック玩具構造要素のうちのいずれか１つに連結され得る。
【先行技術文献】
【特許文献】
【０００６】
【特許文献１】米国特許第４，２７７，０６８号
【特許文献２】特開平１０−２１６３７０号
【特許文献３】米国特許第６，４６０，５２７号
【発明の概要】
【発明が解決しようとする課題】
【０００７】
本発明の目的は、比較的小さい投射物を放出するのに適した簡単な射撃玩具を提供することである。
【課題を解決するための手段】
【０００８】
この目的を考慮して、射撃装置は、投射物の円筒面の中心軸線に沿って投射物を放出するように構成され、少なくとも１つの挟持要素は、少なくとも１つの挟持要素の少なくとも１つの挟持面と投射物の円筒面との間で作用する摩擦力によって、射撃装置本体における投射物の装填位置での投射物の前記方向への放出を防止するように構成され、前記少なくとも１つの挟持面は、投射物の放出の間、投射物の円筒面の中心軸線に沿う投射物の放出方向において、投射物の円筒面を案内するように構成される。
【０００９】
この方法では、挟持要素の挟持面と投射物の円筒面との間で作用する静摩擦力が、引き金要素の押し部によって投射物に作用する適切な放出力の蓄積（building-up）の間、投射物をその装填位置で保持できる。必要な放出力が達成されたとき、静摩擦力が克服され、投射物は、解放され、空中をある距離で飛行できるだけの強さで放出され得る。
【００１０】
一実施形態では、少なくとも１つの挟持要素が、少なくとも１つの挟持面によって、投射物の円筒面と協働するように構成された管状の要素、少なくとも部分的に管状の要素、または、実質的に管状の要素の形態を有する。それによって、その最も簡単な形態で、管状の要素、少なくとも部分的に管状の要素、または、実質的に管状の要素は、挟持面を形成する、または、１つ若しくは複数の挟持面が設けられる円筒面を、有することができる。例えば、前述の１×１円形スタッド連結部は、その上面における連結スタッドを、挟持要素を形成する管状の要素、少なくとも部分的に管状の要素、または、実質的に管状の要素へと挿入することによって装填され得るか、または、代替で、挟持要素を形成する前記管状の要素、少なくとも部分的に管状の要素、または、実質的に管状の要素が、スタッド連結部の下側において連結スカートへと挿入され得る。
【００１１】
一実施形態では、少なくとも１つの挟持要素を形成している管状の要素、少なくとも部分的に管状の要素、または、実質的に管状の要素が、少なくともその長さの一部に沿って、前記要素の壁における少なくとも１つの切欠きによって、複数の部分（parts）へと分割される。それによって、壁における少なくとも１つの切欠きの間に形成される壁の複数の部分は、挟持要素を形成する材料に依存して、好ましくは弾性的に、多かれ少なかれ、曲がることが可能とされ得る。それによって、投射物がその装填位置へと射撃装置本体において挿入されるとき、より大きな摩擦力が、挟持要素の挟持面と投射物の円筒面との間で作り上げられ得る。
【００１２】
一実施形態では、少なくとも１つの挟持面が、管状の要素、少なくとも部分的に管状の要素、または、実質的に管状の要素の少なくとも部分的に円筒形の面において、隆起した面の形態を有する。それによって、挟持面と投射物の円筒面との間の接触面の領域（extent）の特定の限度によって、実際、挟持面が投射物の円筒面の一部に対して均一に適切に押し付けられることが確保でき、また、挟持要素が、投射物の挿入の間、弾性的に曲がることが許容される場合でも同様である。一方、挟持面が、管状の要素、少なくとも部分的に管状の要素、または、実質的に管状の要素の円筒面によってほとんど全体的に形成される場合、挟持要素の曲げは、挟持面が投射物の円筒面に対して均一に押し付けられない結果をもたらす可能性がある。
【００１３】
一実施形態では、射撃装置本体が、少なくとも１つの挟持要素を形成する第１の部分と、引き金要素を収容する第２の部分とを有する管状の要素、少なくとも部分的に管状の要素、または、実質的に管状の要素によって少なくとも部分的に形成される。それによって、コンパクトな装置が獲得され得る。
【００１４】
一実施形態では、引き金要素は、押し部が少なくとも部分的に管状の要素、または、実質的に管状の要素の内部に配置されるように、および、指接触部が前記要素の外部に配置されるように、射撃装置本体の壁においてスロットに回動可能に搭載される。
【００１５】
一実施形態では、引き金要素は、押し部および指接触部を通って延びる線が、射撃装置本体の管状の要素、少なくとも部分的に管状の要素、または、実質的に管状の要素の中心軸線と鋭角を形成するように射撃装置本体に配置される。それによって、射撃玩具を２本の指先の間で押すだけで、つまり、一方の指先が引き金要素の指接触部を押し、他方の指先が射撃装置本体の反対の部分を押すだけで、射撃玩具の引き金を引くことが可能であり得る。それによって、非常に小さい規模の様式の射撃玩具であってもその操作が容易にされ得る。
【００１６】
一実施形態では、引き金要素がＶ字型部を有し、Ｖ字型の各々の脚部がその端部において別々の押し部を形成し、引き金要素全体が、Ｖ字型の対称軸線の周りで対称的または実質的に対称的である。それによって、引き金要素は、引き金要素を誤って搭載する可能性なく、使用者によって射撃装置本体に搭載され得る。
【００１７】
一実施形態では、投射物が、その上面において連結スタッドと、その下側において連結スタッドに対して相補的である連結スカートとを備える回転対称ユニットの形態で、円形スタッド連結部の形態を有し、少なくとも１つの挟持要素が、投射物の連結スタッドと相互作用するように構成され、射撃装置本体には、円形スタッド連結部の連結スタッドに対応し、円形スタッド連結部の連結スカートと相互連結するように構成される連結スタッドが、少なくとも１つの挟持要素に対向して設けられる。それによって、いくつかの予備の投射物が、それらを射撃装置本体の連結スタッドに連結することで、射撃装置本体に保管され得る。
【００１８】
ここで、本発明は、非常に概略的な図面を参照しつつ、実施形態の例を用いて、以下でより詳細に説明される。
【図面の簡単な説明】
【００１９】
【図１】本発明による射撃玩具を保持するＬｅｇｏ小形フィギュアの斜視図である。
【図２】投射物が装填されていない、本発明による射撃玩具の斜視図である。
【図３】図２の射撃玩具の射撃装置本体の側面図である。
【図４】図２の射撃玩具の引き金要素の側面図である。
【図５】右側から見た、図３の射撃装置本体の端面図である。
【図６】右側から見た、図４の引き金要素の端面図である。
【図７】投射物が装填されている、図２の射撃玩具の側面図である。
【図８】左側から見た、図７の射撃玩具の端面図である。
【図９】線ＩＸ−ＩＸに沿って切り取った、図８の射撃玩具を通る軸方向断面図である。
【図１０】図７の射撃玩具の上面図である。
【図１１】線ＸＩ−ＸＩに沿って切り取った、図７の射撃玩具を通る軸方向断面図である。
【図１２】右側から見た、図７の射撃玩具の端面図である。
【図１３】投射物が装填されていない、図７に対応する図である。
【図１４】投射物が装填されていない、図８に対応する図である。
【図１５】投射物が装填されていない、図９に対応する図である。
【図１６】投射物が装填されていない、図１０に対応する図である。
【図１７】投射物が装填されていない、図１２に対応する図である。
【図１８】線ＸＶＩＩＩ−ＸＶＩＩＩに沿って切り取った、図１６の射撃玩具を通る断面図である。
【図１９】図１に示した投射物の側面図である。
【図２０】図１９の投射物の斜視図である。
【発明を実施するための形態】
【００２０】
図１は、本発明による射撃玩具１の射撃装置５を左手３で保持しているＬｅｇｏ小形フィギュア２を示しており、前述の１×１円形スタッド連結部の形態の投射物４が、射撃玩具１の射撃装置５からちょうど放出されている。投射物４は、例えば小形フィギュア２で遊んでいる子供といった使用者の指によって、引き金要素６を押すことで放出される。
【００２１】
図２は、投射物４が装填されていないが、射撃装置５をより詳細に示している。射撃装置５は、射撃装置本体７と、投射物４を挟むことで投射物４を射撃装置本体７において、例えば図７および図９に示しているような装填位置で、保持するように構成された挟持要素８とを備えている。射撃装置５は、さらに、例えば図２、図７、および図９に示すような、投射物４がその装填位置を射撃装置本体７において占め得る受動位置と、例えば図１、図１３、および図１５に示すような作動位置との間で移動可能に射撃装置本体７に搭載された引き金要素６を備えている。
【００２２】
引き金要素６は、その受動位置からその作動位置へと移動されるとき、投射物４をその装填位置から離れる方に押すように構成された押し部１０を有し、その結果、投射物４は射撃装置本体７から放出され得る。引き金要素６は、さらに、操作者の指によって作動されるように構成された指接触部１１を有する。この指接触部１１は、指の先によって指接触部１１を押すことで都合よく作動され得るが、当然ながら、例えば玩具のブロックといった玩具の用具を用いるなど、任意の他の適切な手段によって作動されてもよい。
【００２３】
前述のように、投射物４は、例えば図２０に示されている、１×１円形スタッド連結部１３の形態を有し得る。１×１円形スタッド連結部１３は、回転対称ユニットの形態で提供され、その上面において連結スタッド１４と、その下側において連結スタッド１４に対して相補的である連結スカート１５とを備えており、そのため、よく知られているように、これらの連結デバイスのうちの２つは、一方の連結デバイスの連結スタッド１４を他方の連結デバイスの連結スカート１５へと挿入することで、相互に連結され得るか、または、連結デバイスは、ＬＥＧＯの名で入手可能な前述のいくつかの他の様々なプラスチック玩具構造要素のうちのいずれか１つに連結され得る。連結スタッド１４は、投射物４が放出されるとき、引き金要素６の押し部１０が接し得る上面１８を有している。図１９および図２０に示しているように、１×１円形スタッド連結部１３は、連結スタッド１４と連結スカート１５との間に円筒部１９を有している。しかしながら、投射物４は、図示した１×１円形スタッド連結部１３の円筒部１９および円形連結スカート１５の代わりに、図示されていないがよく知られている、正方形のスカートを有する１×１正方形スタッド連結部であってもよい。
【００２４】
同じく図２０に示すように、投射物４は円筒面１２を有している。射撃装置５は、例えば図１および図９に示されているように、投射物４の円筒面１２の中心軸線１６に沿って、投射物４を放出するように構成されている。
【００２５】
挟持要素８は、挟持要素８の挟持面１７と投射物４の円筒面１２との間で作用する摩擦力によって、射撃装置本体７における投射物４の装填位置での投射物４の前述の方向への放出を防止するように構成されている。さらに、理解されるように、前記挟持面１７は、投射物４の放出の間、投射物４の円筒面１２の中心軸線１６に沿う投射物４の放出方向において、投射物４の円筒面１２を案内するように構成されている。
【００２６】
図示した実施形態では、挟持要素８は、４つの挟持面１７によって、投射物４の円筒面１２と協働するように構成された管状の要素、少なくとも部分的に管状の要素、または、実質的に管状の要素の形態を有し、各々の挟持面１７は、図１８に示しているように、挟持要素８を形成している管状の要素、少なくとも部分的に管状の要素、または、実質的に管状の要素の円筒面２０において、隆起した面の形態を有している。２つの相対する挟持面１７の間の距離は、円筒面２０の直径より若干小さい。任意の適切な数の挟持面１７が可能であり、挟持面１７は、円筒面２０の直径より若干小さい直径３８に単に位置決めされ得る。
【００２７】
さらに、図１８に示しているように、少なくとも１つの挟持要素８を形成している管状の要素、少なくとも部分的に管状の要素、または、実質的に管状の要素は、前記要素の壁２１における２つの相対する切欠き２３によって、２つの相対する部分２２へと分割されている。少なくとも１つの挟持要素８を形成している管状の要素、少なくとも部分的に管状の要素、または、実質的に管状の要素は、３つ、４つ、５つ、または、さらに任意のより多くの数など、任意の適切な数の部分へと分割され得る。
【００２８】
射撃装置本体７は、少なくとも１つの挟持要素８を形成する第１の部分２４と、引き金要素６を収容する第２の部分２５とを有する管状の要素、少なくとも部分的に管状の要素、または、実質的に管状の要素によって少なくとも部分的に形成されている。引き金要素６は、押し部１０が少なくとも部分的に管状の要素、または、実質的に管状の要素の内部に配置されるように、および、指接触部１１が前記要素の外部に配置されるように、射撃装置本体７の壁２７においてスロット２６に回動可能に搭載されている。引き金要素６には、射撃装置本体７の壁２７において、軸受３３に搭載されるように構成された回動ピン３２が設けられている。軸受３３は、弾性的に曲がり、それによって、使用者が回動ピン３２を軸受３３と係合させるように押すとき、回動ピン３２を掴むように構成されている。そのため、軸受３３は、回動ピン３２の直径に対応する、または、その直径より若干大きい直径の第１の区域３４と、前記直径より若干小さい断面直径の第２の区域３５とを有している。
【００２９】
射撃装置本体７には、射撃装置本体７の下方部から下向きに延在する若干斜めにされたピンの形態で把持部３６が設けられており、Ｌｅｇｏ小形フィギュア２がその手３に前記把持部３６によって射撃装置５を保持できるようになっている。
【００３０】
引き金要素６は、図９および図１５に示すように、押し部１０および指接触部１１を通って延びる線２８が、射撃装置本体７の管状の要素、少なくとも部分的に管状の要素、または、実質的に管状の要素の中心軸線２９と鋭角を形成するように射撃装置本体７に配置されている。それによって、射撃玩具１を２本の指先の間で押すだけで、つまり、一方の指先が引き金要素の指接触部を押し、他方の指先が射撃装置本体の反対の部分を押すだけで、射撃玩具１の引き金を引くことが可能であり得る。それによって、非常に小さい規模の様式の射撃玩具であってもその操作が容易にされ得る。好ましくは、射撃装置本体７は、１５ｍｍ未満、より好ましくは１２ｍｍ未満、最も好ましくは１０ｍｍ未満の直径を有している。好ましくは、射撃装置本体７は、２５ｍｍ未満、より好ましくは２０ｍｍ未満、最も好ましくは１８ｍｍ未満の長さを有している。
【００３１】
引き金要素６はＶ字型部３０を有し、Ｖ字型の各々の脚部がその端部において別々の押し部１０を形成し、引き金要素６全体が、図４で最もよく示しているように、Ｖ字型の対称軸線の周りで対称的または実質的に対称的である。
【００３２】
図で示しているように、射撃装置本体７には、１×１円形スタッド連結部１３の連結スタッド１４に対応し、１×１円形スタッド連結部１３の連結スカート１５と相互連結するように構成されている連結スタッド３１が、挟持要素８に対向して設けられており、それによって、使用者はいくつかの投射物４を射撃装置本体７の後部に保管できる。
【００３３】
有利には、挟持要素８とおそらく射撃装置本体７とは、例えば、数あるその特性のうちでも優れた堅牢性および剛性と、小さなクリープと、優れた寸法安定性とを有するＡＢＳから射出成型によって、形成され得る。それによって、挟持要素８は、１０年以上など、非常に長い時間にわたってその弾力性を保つことができる。
【００３４】
図に示した実施形態では、投射物４は、その装填位置において、挟持面１７と投射物４の円筒面１２との間の摩擦力だけによって実際に保持されていることが理解できる。さらに、射撃装置本体７における投射物４の装填位置において、挟持要素８の２つの相対する部分２２が、投射物４が装填されていないときにそれら部分２２が取る静止位置に対して、互いから若干離れる方に曲げられ得ることは、理解され得る。これは、挟持面１７が２つの相対する部分２２の静止位置において配置されているときの直径を、投射物４の円筒面１２の直径より若干小さく、例えば、１％超、３％超、または５％超でより小さく形成することで得ることができる。この構成によって、より大きな摩擦力が、投射物４の装填位置において、挟持面１７と投射物４の円筒面１２との間に存在することが獲得され得る。さらに、それによって、挟持面１７の先端部３７を丸め、そのため、２つの相対する部分２２がそれらの静止位置へと戻るように曲がるとき、この丸められた先端部３７が投射物４を放出方向に「跳ね飛ばす」ことができることで、投射物４が射撃装置本体７を離れる直前、投射物４の放出を若干増加させることが可能であり得る。図に示した実施形態では、挟持要素８の２つの相対する部分２２が、投射物４の放出の間、互いからさらに離れる方には曲げられないことも理解され得る。しかしながら、図示していない実施形態において、挟持要素８の２つ以上の相対する部分２２が、投射物４の装填位置において１×１円形スタッド連結部１３の円筒部１９または他の部分を掴む、若干フック状に形成された先端部で形成されている場合には、このような状態も起こり得る。
【図１】
0006298084.tif 000002
【図２】
0006298084.tif 000003
【図３】
0006298084.tif 000004
【図４】
0006298084.tif 000005
【図５】
0006298084.tif 000006
【図６】
0006298084.tif 000007
【図７】
0006298084.tif 000008
【図８】
0006298084.tif 000009
【図９】
0006298084.tif 000010
【図１０】
0006298084.tif 000011
【図１１】
0006298084.tif 000012
【図１２】
0006298084.tif 000013
【図１３】
0006298084.tif 000014
【図１４】
0006298084.tif 000015
【図１５】
0006298084.tif 000016
【図１６】
0006298084.tif 000017
【図１７】
0006298084.tif 000018
【図１８】
0006298084.tif 000019
【図１９】
0006298084.tif 000020
【図２０】
0006298084.tif 000021